(57)【要約】【課題】発射装置の検査を従来より容易に行うことが可能な弾球遊技機を提供する。【解決手段】本発明によれば、発射装置７０に備えた後方保持部材７９に検査用ピンを装着することで、その検査用ピンにより中継回転部材７３を検査位置に保持することができる。これにより、発射装置７０の検査を行うために従来は必要とされた発射操作部５０及び第２前面カバー７１の組み付けが不要になり、発射装置７０の検査を容易に行うことが可能になる。【選択図】図７
2007151621.tif 000002
【特許請求の範囲】
【請求項１】
遊技を行う遊技領域と、
槌回動用バネの弾発力を利用して打撃槌を回動し、遊技球を前記遊技領域へと発射する発射装置と、
前記発射装置の前側を覆う前面カバーと、
前記前面カバーの前側に配置されると共に、前記前面カバーに備えた貫通孔を通して前記発射装置に連結され、回動操作により前記槌回動用バネの弾発力を調節するための発射操作部とを備えた弾球遊技機において、
前記発射装置には、前記発射操作部と前記槌回動用バネとの間を連結し、前記発射操作部により回転する中継回転部材と、前記中継回転部材を回転可能に支持するベース部材と、前記ベース部材に固定又は一体形成されかつ検査用係止部材が装着され、その検査用係止部材により前記中継回転部材を所定の回動位置に保持可能とする係止部材装着部とが備えられたことを特徴とする弾球遊技機。
【請求項２】
前記検査用係止部材は、前記発射装置と分離した別部品として形成されたことを特徴とする請求項１に記載の弾球遊技機。
【請求項３】
前記発射装置には、前記打撃槌を一定角度回動させて前記槌回動用バネの弾性変形量を増加させてから解放する槌駆動機構が備えられ、その槌駆動機構によって増加された弾性変形量分の弾発力によって前記打撃槌が遊技球を前記遊技領域へと発射するように構成したことを特徴とする請求項１又は２に記載の弾球遊技機。
【請求項４】
遊技球の未発射時には、前記槌回動用バネの一端部は前記発射装置に備えた第１ストッパによって位置決めされると共に前記槌回動用バネの他端部は前記発射装置に備えた第２ストッパによって位置決めされ、これら第１ストッパ及び第２ストッパにより前記槌回動用バネが遊技球の未発射時に弾性変形した状態に保持されたことを特徴とする請求項３に記載の弾球遊技機。
【請求項５】
前記中継回転部材は、前記槌回動用バネの他端部に連結され、
前記検査用係止部材により前記中継回転部材を所定の回動位置に保持した際には、前記槌回動用バネの他端部が前記第２ストッパから離れて、遊技球の未発射時における前記槌回動用バネの弾性変形量が増すように構成したことを特徴とする請求項４に記載の弾球遊技機。
【請求項６】
前記検査用係止部材により前記中継回転部材が保持される所定の回動位置は、前記発射操作部の回動操作により前記槌回動用バネの弾発力が最も弱くなる最小位置と、前記槌回動用バネの弾発力が最も強くなる最大位置との中間位置であることを特徴とする請求項１乃至５の何れかに記載の弾球遊技機。
【請求項７】
前記発射装置が発射した遊技球を案内し、前記遊技領域の上部における左右方向の一端側位置で遊技球を前記遊技領域内へと排出するレール部と、
前記遊技領域の上部における左右方向の他端側位置に配置された球受部とを備え、
前記検査用係止部材により前記中継回転部材を所定の回動位置に保持した際の弾発力は、前記レール部から前記遊技領域内へと排出された遊技球が前記球受部に当接する強さであることを特徴とする請求項１乃至６の何れかに記載の弾球遊技機。
【請求項８】
前記係止部材装着部には、前記中継回転部材に対してその回転軸方向から対向した対向壁と、その対向壁に貫通形成されて前記検査用係止部材を挿入可能なピン挿通孔とが備えられたことを特徴とする請求項１乃至７の何れかに記載の弾球遊技機。
【請求項９】
前記槌回動用バネは捻りコイルバネであり、
前記捻りコイルバネの一端部に取り付けられて前記打撃槌と共に回動する第１回動部材と、
前記捻りコイルバネの他端部に取り付けられて前記ベース部材に回動可能に支持されると共に前記中継回転部材と連動回転する第２回動部材とを備えたことを特徴とする請求項１乃至８の何れかに記載の弾球遊技機。
【請求項１０】
前記第２回動部材及び前記操作部連結回動部材とに両端が連結されたワイヤを備え、前記第２回動部材及び前記操作部連結回動部材は共に円弧面を有し、それら円弧面に前記ワイヤの両端部が巻き付けられたことを特徴とする請求項９に記載の弾球遊技機。
【請求項１１】
前記発射操作部の回動中心から前記発射装置側に伝達軸が延び、その伝達軸の先端には断面非円形の先端挿入部が形成され、
前記操作部連結回動部材には、前記先端挿入部に対応した非円形の断面をなして前記先端挿入部が挿入される連結孔が設けられたことを特徴とする請求項１乃至１０の何れかに記載の弾球遊技機。
【請求項１２】
前記ベース部材の一端面には、前記レール部材に遊技球を供給する球送りカセットと前記打撃槌が備えられ、前記ベース部材の他端面には、前記球送りカセット及び前記打撃槌を作動させる機構部材が備えられたことを特徴とする請求項７に記載の弾球遊技機。
【発明の詳細な説明】
【技術分野】
【０００１】
本発明は、発射装置により遊技球を遊技領域へと発射して遊技を行う弾球遊技機に関する。
【背景技術】
【０００２】
従来、この種の弾球遊技機は、発射装置の前側が前面カバーで覆われ、その前面カバーの前面側に発射操作部が備えられている。そして、この発射操作部を遊技者が回動操作することで、発射装置による遊技球の発射力を調節することができる。また、発射操作部の裏面側に備えた凹部に遊技球を押し込むと、発射操作部が前面カバーに対して固定されて、発射装置の発射力が遊技者が望む大きさに保持される（例えば、特許文献１参照）。
【特許文献１】特開２００４−８５３４号公報（段落［００４５］、第３図）
【発明の開示】
【発明が解決しようとする課題】
【０００３】
しかしながら、上記した従来の弾球遊技機では、弾球遊技機の製造工程で発射装置の検査を行う際に手間がかかった。即ち、発射装置の検査工程では、発射装置の発射力を所定の大きさに保持して遊技球の到達位置を目視確認する作業を行う。このとき、上記した従来の弾球遊技機では、発射装置の発射力を所定の大きさに保持するために、発射装置と共に発射操作部及び前面カバーの両方を検査装置又は実機（実際の弾球遊技機）に組み付ける必要があった。このため、検査装置で発射装置の検査を行う場合に、発射装置以外の部品の組付作業に手間がかかる。一方、実機で発射装置の検査を行う場合には、発射装置に異常が発見されたときの対応に手間がかかる。
【０００４】
本発明は、上記事情に鑑みてなされたもので、発射装置の検査を従来より容易に行うことが可能な弾球遊技機の提供を目的とする。
【課題を解決するための手段】
【０００５】
上記目的を達成するためになされた請求項１の発明に係る弾球遊技機は、遊技を行う遊技領域と、槌回動用バネの弾発力を利用して打撃槌を回動し、遊技球を遊技領域へと発射する発射装置と、発射装置の前側を覆う前面カバーと、前面カバーの前側に配置されると共に、前面カバーに備えた貫通孔を通して発射装置に連結され、回動操作により槌回動用バネの弾発力を調節するための発射操作部とを備えた弾球遊技機において、発射装置には、発射操作部と槌回動用バネとの間を連結し、発射操作部により回転する中継回転部材と、中継回転部材を回転可能に支持するベース部材と、ベース部材に固定又は一体形成されかつ検査用係止部材が装着され、その検査用係止部材により中継回転部材を所定の回動位置に保持可能とする係止部材装着部とが備えられたところに特徴を有する。
【０００６】
請求項２の発明は、請求項１に記載の弾球遊技機において、検査用係止部材は、発射装置と分離した別部品として形成されたところに特徴を有する。
【０００７】
請求項３の発明は、請求項１又は２に記載の弾球遊技機において、発射装置には、打撃槌を一定角度回動させて槌回動用バネの弾性変形量を増加させてから解放する槌駆動機構が備えられ、その槌駆動機構によって増加された弾性変形量分の弾発力によって打撃槌が遊技球を遊技領域へと発射するように構成したところに特徴を有する。
【０００８】
請求項４の発明は、請求項３に記載の弾球遊技機において、遊技球の未発射時には、槌回動用バネの一端部は発射装置に備えた第１ストッパによって位置決めされると共に槌回動用バネの他端部は発射装置に備えた第２ストッパによって位置決めされ、これら第１ストッパ及び第２ストッパにより槌回動用バネが遊技球の未発射時に弾性変形した状態に保持されたところに特徴を有する。
【０００９】
請求項５の発明は、請求項４に記載の弾球遊技機において、中継回転部材は、槌回動用バネの他端部に連結され、検査用係止部材により中継回転部材を所定の回動位置に保持した際には、槌回動用バネの他端部が第２ストッパから離れて、遊技球の未発射時における槌回動用バネの弾性変形量が増すように構成したところに特徴を有する。
【００１０】
請求項６の発明は、請求項１乃至５の何れかに記載の弾球遊技機において、検査用係止部材により中継回転部材が保持される所定の回動位置は、発射操作部の回動操作により槌回動用バネの弾発力が最も弱くなる最小位置と、槌回動用バネの弾発力が最も強くなる最大位置との中間位置であるところに特徴を有する。
【００１１】
請求項７の発明は、請求項１乃至６の何れかに記載の弾球遊技機において、発射装置が発射した遊技球を案内し、遊技領域の上部における左右方向の一端側位置で遊技球を遊技領域内へと排出するレール部と、遊技領域の上部における左右方向の他端側位置に配置された球受部とを備え、検査用係止部材により中継回転部材を所定の回動位置に保持した際の弾発力は、レール部から遊技領域内へと排出された遊技球が球受部に当接する強さであるところに特徴を有する。
【００１２】
請求項８の発明は、請求項１乃至７の何れかに記載の弾球遊技機において、係止部材装着部には、中継回転部材に対してその回転軸方向から対向した対向壁と、その対向壁に貫通形成されて検査用係止部材を挿入可能なピン挿通孔とが備えられたところに特徴を有する。
【００１３】
請求項９の発明は、請求項１乃至８の何れかに記載の弾球遊技機において、槌回動用バネは捻りコイルバネであり、捻りコイルバネの一端部に取り付けられて打撃槌と共に回動する第１回動部材と、捻りコイルバネの他端部に取り付けられてベース部材に回動可能に支持されると共に中継回転部材と連動回転する第２回動部材とを備えたところに特徴を有する。
【００１４】
請求項１０の発明は、請求項９に記載の弾球遊技機において、第２回動部材及び操作部連結回動部材とに両端が連結されたワイヤを備え、第２回動部材及び操作部連結回動部材は共に円弧面を有し、それら円弧面にワイヤの両端部が巻き付けられたところに特徴を有する。
【００１５】
請求項１１の発明は、請求項１乃至１０の何れかに記載の弾球遊技機において、発射操作部の回動中心から発射装置側に伝達軸が延び、その伝達軸の先端には断面非円形の先端挿入部が形成され、操作部連結回動部材には、先端挿入部に対応した非円形の断面をなして先端挿入部が挿入される連結孔が設けられたところに特徴を有する。
【００１６】
請求項１２の発明は、請求項７に記載の弾球遊技機において、ベース部材の一端面には、レール部材に遊技球を供給する球送りカセットと打撃槌が備えられ、ベース部材の他端面には、球送りカセット及び打撃槌を作動させる機構部材が備えられたところに特徴を有する。
【発明の効果】
【００１７】
［請求項１の発明］
請求項１の構成によれば、発射装置に備えた係止部材装着部に検査用係止部材を装着することで、その検査用係止部材により中継回転部材を所定の回動位置に保持ことができる。このように本発明によれば、発射装置の検査を行うために従来は必要とされた発射操作部及び前面カバーの組み付けが不要になり、発射装置の検査を容易に行うことが可能になる。
【００１８】
［請求項２の発明］
請求項２の構成によれば、検査用係止部材を発射装置から離れた位置に保管することができるので、遊技中に誤って検査用係止部材が機能するのを防止することができる。
【００１９】
［請求項３の発明］
請求項３の構成によれば、槌駆動機構が打撃槌を回動させる角度は一定角度であるので、槌駆動機構を原因として発射装置の発射力がばらつくことが防がれる。
【００２０】
［請求項４の発明］
請求項４の構成によれば、第１ストッパ及び第２ストッパにより槌回動用バネが遊技球の未発射時に弾性変形した状態に保持されるので、未発射時における打撃槌及び槌回動用バネのガタが防がれる。
【００２１】
［請求項５の発明］
請求項５の構成によれば、検査用係止部材により中継回転部材を所定の回動位置に保持した際には、槌回動用バネの他端部が第２ストッパから離れて、遊技球の未発射時における槌回動用バネの弾性変形量が増すことで、発射装置の発射力を大きくすることができる。
【００２２】
［請求項６の発明］
請求項６の構成によれば、検査用係止部材により中継回転部材を所定の回動位置に保持することで、発射装置の発射力を最弱と最強の中間の大きさにすることができる。
【００２３】
［請求項７の発明］
請求項７の構成によれば、検査用係止部材により中継回転部材を所定の回動位置に保持することで、発射装置が正常の場合には、レール部から遊技領域内へと排出された遊技球が遊技領域の上部を左右方向に移動して球受部に当接する。これにより、球受部に遊技球が当接しなかったことを目視で確認して、発射装置の異常を容易に発見することが可能になる。
【００２４】
［請求項８の発明］
請求項８の構成によれば、係止部材装着部に備えたピン挿通孔に検査用係止部材を挿通して、所定の回動位置の中継回転部材に係止し、中継回転部材を所定の回動位置に保持ことができる。
【００２５】
［請求項９の発明］
請求項９の構成によれば、槌回動用バネとしての捻りコイルバネの捻れによる弾発力を利用して遊技球を発射することができる。また、槌回動用バネとして引っ張り又は圧縮コイルバネを用いた場合より、捻りコイルバネを用いることでコンパクトな構成にすることができる。
【００２６】
［請求項１０の発明］
請求項１０の構成によれば、ワイヤを介して第２回動部材と中継回転部材とを連動回転させることができる。
【００２７】
［請求項１１の発明］
請求項１１の構成によれば、発射操作部の回動中心から延びた伝達軸の先端挿入部を中継回転部材の連結孔に挿入するだけで、発射操作部と中継回転部材とが一体回転可能になる。
【００２８】
［請求項１２の発明］
請求項１２の構成によれば、ベース部材の両端面に部品を配置するので、一端面側のみに部品を配置する場合よりもベース部材の表面を効率よく使用することができる。
【発明を実施するための最良の形態】
【００２９】
［第１実施形態］
以下、本発明の弾球遊技機としてのパチンコ遊技機１０に係る一実施形態を、図１〜図１７に基づいて説明する。図１に示すパチンコ遊技機１０は、誘導レール１２（本発明に係る「レール部」に相当する）に囲まれた遊技領域Ｒ１を有している。誘導レール１２は帯状の板金を略円形に湾曲させてなり、遊技板１１の前面から起立している。そして、誘導レール１２は、後述する発射装置７０が発射した遊技球を案内し、遊技領域Ｒ１の上部における左右方向の一端側位置から遊技球を遊技領域内Ｒ１へと排出する。また、遊技領域Ｒ１の上部における左右方向の他端側位置には、弾性体で構成された球受部１０Ｊが備えられている。そして、遊技球の発射力が比較的強い場合には、誘導レール１２に案内された遊技球の遊技領域Ｒ１内に排出された遊技球が球受部１０Ｊで当接して遊技領域Ｒ１における左右方向の中心側に跳ね返される。
【００３０】
遊技領域Ｒ１内には、液晶表示部３２が備えられている。この液晶表示部３２は、遊技板１１に貫通形成した略矩形の表示窓１１Ｗに、遊技板１１の後面側から表示装置３０の液晶表示画面３０Ｇを宛がって構成されている。また、液晶表示部３２は、遊技領域Ｒ１のうち上寄りかつ向かって右側寄りに配置され、主にその液晶表示部３２の上側、左側、下側に遊技球が流下可能なスペースが確保されている。液晶表示部３２の下側スペースには、その左右方向の中央に、第１及び第２の始動入賞口１４Ａ，１４Ｂ、大入賞口１５及びアウト口１６が、上から順に間隔を開けて並べて設けられ、左右両側部には、誘導レール１２に沿って一般入賞口２０，２１及びサイドランプ２２，２２がそれぞれ設けられている。また、液晶表示部３２の左側スペースには、始動ゲート１８と風車１９とが上下に並べて設けられている。さらに、風車１９の下方には、サイドランプ２２と一体に、普通図柄表示部１８Ｈが設けられている。これら各種入賞口１４Ａ，１４Ｂ，１５，２０，２１，表示装置３０等の役物以外に、遊技領域Ｒ１には、遊技球と当接して流下方向を様々に変化させることが可能な障害釘が分散配置されている。
【００３１】
上記した役物の詳細は、以下のようである。一般入賞口２０，２１は、所謂、ポケット構造をなし、遊技球が丁度１つ入球可能な大きさで上方に開口している。一般入賞口２０，２１へ入球すると、その遊技球は遊技板１１の裏側に取り込まれ、代わりに所定数の賞球がパチンコ遊技機１０の前面に備えた上皿２６に払い出される。
【００３２】
始動ゲート１８は、遊技球が潜って通過可能な門形構造をなし、通過した遊技球は始動ゲート１８に内蔵された普通図柄始動スイッチによって検出される。この検出信号に基づいて、普通図柄表示部１８Ｈにおいて図柄が変動表示される。具体的には、「０」〜「９」までの数字からなる数字図柄が所定期間に亘って変動表示された後、所定の数字図柄が停止表示される。
【００３３】
第１及び第２の始動入賞口１４Ａ，１４Ｂは、上下方向に並んで配置されている。各始動入賞口１４Ａ，１４Ｂは、共に遊技板１１から突出した部材の上面に開口を備えた、所謂、ポケット構造をなしている。そして、各始動入賞口１４Ａ，１４Ｂに入った遊技球は、遊技板１１に設けた図示しない貫通孔を通って、遊技板１１の裏側に回収される。
【００３４】
上側に配置された第１の始動入賞口１４Ａは、遊技球が１つだけ入る開口幅を有している。一方、下側に配置された第２の始動入賞口１４Ｂは、第１の始動入賞口１４Ａの真下に配置され、その開口の左右両側には可動翼片１４Ｃ，１４Ｃが備えられている。これら両可動翼片１４Ｃ，１４Ｃは、常には起立状態になっており、両可動翼片１４Ｃ，１４Ｃに挟まれた第２の始動入賞口１４Ｂの開口幅は、遊技球が１つだけ入る大きさとなっている。また、第２の始動入賞口１４Ｂの上方空間は、常には、第１の始動入賞口１４Ａを構成する部材と可動翼片１４Ｃ，１４Ｃとで囲まれて、遊技球が入らないようになっている。そして、普通図柄表示部１８Ｈで停止表示された数字図柄が奇数になると、遊技板１１の裏に設けたソレノイドが駆動されて、可動翼片１４Ｃ，１４Ｃが所定期間（例えば、０．４秒間）に亘って横に倒される。すると、第２の始動入賞口１４Ｂの上方空間が側方に開放し、第１の始動入賞口１４Ａの両脇を通過した遊技球が可動翼片１４Ｃに受け止められて第２の始動入賞口１４Ｂに案内されるようになる。
【００３５】
各始動入賞口１４Ａ，１４Ｂに遊技球が入賞すると、各始動入賞口１４Ａ，１４Ｂ内に設けた図示しない始動口センサが遊技球を検出し、その検出信号に基づいて、例えば、４個の遊技球が上皿２６に払い出されると共に、表示装置３０の液晶表示部３２において図柄が変動表示される。具体的には、液晶表示部３２には、通常、３つの左、中、右の特別図柄３２Ａ，３２Ｂ，３２Ｃが横並びに表示されている。これら各特別図柄３２Ａ，３２Ｂ，３２Ｃは、例えば、「０」〜「１１」の数字を表記した複数種類のもので構成されており、通常は、各特別図柄３２Ａ，３２Ｂ，３２Ｃごと、所定の種類のものが停止表示されている。そして、始動入賞口１４Ａ，１４Ｂに遊技球が入賞したときに、これら３つの特別図柄３２Ａ，３２Ｂ，３２Ｃが、上下方向にスクロール表示され、所定時間後に、例えば、左、中、右の順で各特別図柄３２Ａ，３２Ｂ，３２Ｃが停止表示される。このとき、例えば、全ての特別図柄３２Ａ，３２Ｂ，３２Ｃが同じ図柄、即ち、ぞろ目になった場合に、遊技が「大当たり状態」になる。なお、液晶表示部３２において特別図柄３２Ａ，３２Ｂ，３２Ｃが変動表示又は「大当たり状態」の最中に始動入賞口１４Ａ，１４Ｂに入賞した場合、その入賞球は最大で４個まで保留記憶され、特別図柄３２Ａ，３２Ｂ，３２Ｃが停止表示又は「大当たり状態」が終了すると、その保留記憶に基づいて再び、特別図柄３２Ａ，３２Ｂ，３２Ｃが変動表示される。
【００３６】
大入賞口１５は、横長矩形に形成されて、常には、可動扉１５Ｔにて閉塞されている。パチンコ遊技機１０が「大当たり状態」になると、遊技板１１の裏に設けた図示しないソレノイドが駆動され、可動扉１５Ｔが所定期間に亘って前側に倒れる。これにより、大入賞口１５が開放され、可動扉１５Ｔを案内にして、大入賞口１５に多くの遊技球が入賞可能となる。ここで、可動扉１５Ｔが、開放してから閉じるまでの間を「ラウンド」と称すると、１つのラウンドは、可動扉１５Ｔの開放時間が３０秒に達したか、又は、大入賞口１５に遊技球が１０個入賞したかの何れかの条件が先に満たされた場合に終了する。また、「大当たり状態」は、最大で、例えば１５ラウンドまで継続される。
【００３７】
大入賞口１５の内部には、計数入賞口が設けられている。計数入賞口内には、カウントセンサが設けられており、遊技球の入賞を検出すると入賞球数をカウントし、入賞球が前記したように計１０個に達したか否かをチェックする。なお、大入賞口１５に遊技球が入賞すると、例えば、１５個の遊技球が上皿２６に払い出される。
【００３８】
図２に示すように、パチンコ遊技機１０は、遊技機本体８１と、その遊技機本体８１が着脱可能に組み付けられる遊技枠体８０とから構成されている。また、遊技機本体８１は、遊技板アッシ１１Ａと機構板アッシ８４Ａとから構成されている。
【００３９】
遊技板アッシ１１Ａは、遊技板１１に上記した始動ゲート１８、風車１９等の各種役物を組み付けると共に、後面側に各種制御装置を組み付けてなる。具体的には、遊技板１１の後面側の上寄り位置には、前記した表示装置３０が取り付けられ、その後面には、表示装置３０を制御するための表示制御装置（図示せず）が取り付けられている。また、その表示制御装置の後面側には、図示しないランプ制御装置及び音声制御装置が横並びにして取り付けられている。そして、これらにより役物に備えたランプの点灯制御、スピーカ１３Ａ，１３Ｂ（図１及び図３参照）からの音声の制御を行っている。さらに、表示装置３０の後面の下側には、メイン制御装置３１Ｃ（図３参照）が重ねられ、遊技板１１の後面から突出した支持体（図示せず）に固定されている。
【００４０】
一方、機構板アッシ８４Ａは、機構板８４に遊技球タンク５５，払出装置５６等を組み付けてなる。機構板８４は、全体として縦長の矩形状をなしかつ遊技板アッシ１１Ａに後方から重ねて配置される。機構板８４のうち遊技板１１との対向部分には、遊技板アッシ１１Ａにおける後方突出部分を受容するための矩形窓８４Ｗが貫通形成されている。この矩形窓８４Ｗは、遊技板アッシ１１Ａの後方突出部分を収容可能な箱形カバー８４Ｃによって閉塞されている。
【００４１】
機構板アッシ８４Ａの後面のうち矩形窓８４Ｗの上側には、遊技球を貯留する遊技球タンク５５が組み付けられている。また、矩形窓８４Ｗの一側方には払出装置５６が設けられ、さらに、矩形窓８４Ｗの下方には払出制御装置５７と電源装置５８と発射制御装置（図示せず）が設けられている。なお、払出装置５６は、遊技球タンク５５から遊技球誘導レール５５Ｒを通して遊技球を受け取り、払出制御装置５７からの指令に応じて遊技球を払い出す。
【００４２】
遊技枠体８０は、外枠８２に前面枠９０を第１ヒンジ機構８０Ｈ（図１参照）にて連結してなる。外枠８２は、４つの木製の長板８３を縦長矩形状に接合して構成されている。この外枠８２の下端部には、１対のスピーカ１３Ｂ，１３Ｂが備えられている。一方、前面枠９０は、例えば合成樹脂で構成され、遊技板１１に対応した開口部９０Ｗを備えている。また、図１に示すように第１ヒンジ機構８０Ｈは、遊技枠体８０のうち一方の側部における上端部と下端部とに配置されている。これら第１ヒンジ機構８０Ｈは、前面枠９０を遊技枠体８０に対して上方にスライドすることで、図２に示すように前面枠９０側のヒンジ構成部９０Ｈと、外枠８２側のヒンジ構成部８２Ｈとに分かれ、これにより外枠８２から前面枠９０を離脱することができる。
【００４３】
前面枠９０の後面には、開口部９０Ｗを取り囲むように囲壁９０Ｖが形成され、その囲壁９０Ｖの内側に遊技板１１が嵌合して固定されている。また、機構板８４は、前面枠９０のうち第１ヒンジ機構８０Ｈを備えた側の側部に第２ヒンジ機構（図示せず）にて連結されている。
【００４４】
図４には、前面枠９０を前面から見た状態が示されている。その前面枠９０の前面上寄り位置には、図１に示したガラス枠９５が重ねて設けられている。ガラス枠９５は、前面枠９０のうち第１ヒンジ機構８０Ｈを備えた側の側部に図示しないヒンジ機構にて連結されている。また、ガラス枠９５には、略円形の窓９５Ｗが設けられ、ここにガラス板が嵌め込まれている。そして、このガラス板越しに遊技領域Ｒ１を視認することができる。また、ガラス枠９５の前面のうち窓９５Ｗより上側には、左右に１対のスピーカ１３Ａ，１３Ａが設けられている。さらに、ガラス枠９５のうち窓９５Ｗの下方には、球抜きボタン２３が設けられている。これらガラス枠９５と前面枠９０及び外枠８２は、遊技枠体８０における解錠装置８５（図４参照）により閉止状態に施錠される。
【００４５】
なお、解錠装置８５のうち施錠・解錠操作を行うための操作部８５Ｓは、後述する第２前面カバー７１の外面に露出しており、それ以外の解錠装置８５全体は、ガラス枠９５及び前面枠９０によって前方を覆われている。
【００４６】
図１に示すように前面枠９０の前面のうちガラス枠９５の下方には、上皿２６が設けられている。上皿２６は、前方に向かって膨出しており、その上皿２６の右側には、球貸し操作ボタン２４と球貸し状態表示モニター２５とが並べて配置されている。
【００４７】
前面枠９０の前面のうちガラス枠９５より下側には、第１前面カバー２９と第２前面カバー７１とが取り付けられている。第１前面カバー２９は、パチンコ遊技機１０の下側部分のうち左端部から右端部寄り位置までを覆い、残りの右端部近傍を第２前面カバー７１が覆っている。第１前面カバー２９の前面中央には、パチンコ遊技機１０の前方に膨出した下皿２８が備えられている。そして、上記した球抜きボタン２３を押圧すると、上皿２６に貯留された遊技球が下皿２８に排出される。下皿２８には、ファール球等も貯留される。第１前面カバー２９のうち下皿２８の左側方には、遊技スイッチ５３が設けられている。この遊技スイッチ５３を押圧すると、液晶表示部３２で変動表示されている画像、例えば、キャラクタ画像を、遊技者の任意のタイミングで停止させることができる。また、下皿２８の右側方には、球排出ボタン５２が設けられている。この球排出ボタン５２を押圧すると、下皿２８に貯留された遊技球をパチンコ遊技機１０の外部に排出することができる。
【００４８】
図６に示すように、第２前面カバー７１は、互いに直角に交差した下縁部７１Ａと一側縁部７１Ｂとを有し、上方に向かうに従って左右方向の幅が狭くなる形状になっている。また、第２前面カバー７１のうち第１前面カバー２９側の側縁部７１Ｃは、上下方向の途中から緩やかに傾斜し、その側縁部７１Ｃの中間部分からは三角突片７１Ｄが突出している。そして、第２前面カバー７１の下縁部７１Ａと一側縁部７１Ｂとを、前面枠９０の一角部における下縁部と一側縁部とに重ねた状態にして取り付けられている。
【００４９】
図４に示すように、前面枠９０の前面のうち向かって右側下端部には、発射装置７０が固定され、発射装置７０の前側が上記した第１前面カバー２９及び第２前面カバー７１によって覆われている。そして、第２前面カバー７１の前面に備えた発射操作部５０を回動操作することで、発射装置７０が作動して、遊技球が遊技領域Ｒ１に向けて弾き出される。
【００５０】
発射装置７０は、前面枠９０の前面に重ねて取り付けられる板状のベース部材６５に、打撃槌６７、球供給装置４２（本発明の「球送りカセット」に相当する）等の複数の部品を組み付けてなる。図５に示すようにベース部材６５の下端部からは、一側方に向けて側部突片６５Ａが張り出されている。側部突片６５Ａの前面には筒形支柱７２が取り付けられている。筒形支柱７２の軸心部には軸孔７２Ａが貫通しており、側部突片６５Ａにはその軸孔７２Ａの同心上に貫通孔６５Ｂが形成されている。
【００５１】
本発明に係る中継回転部材７３は、筒形支柱７２内に軸支された連結筒部７３Ｂ（図５参照）の後端部に中継回転盤７３Ａ（図７参照）を有してなる。そして、連結筒部７３Ｂが側部突片６５Ａの後面側から貫通孔６５Ｂが挿入されている。連結筒部７３Ｂの内側には、連結筒部７３Ｂの内側は、内周面の一部に平坦部を備えて断面非円形にした連結孔が形成されている。一方、発射操作部５０の中心部からは伝達軸５０Ｓ（図６参照）が延びており、その伝達軸５０Ｓの先端部は、外周面の一部に平坦部が備えて断面非円形とした先端挿入部になっている。そして、伝達軸５０Ｓの先端挿入部が、第２前面カバー７１に備えた図示しない貫通孔を通って中継回転部材７３の連結孔に挿入され、発射操作部５０と中継回転部材７３とが一体回転可能に連結されている。
【００５２】
図８に示すように、中継回転盤７３Ａは全体として扇形をなし、回転軸と直交した１対の平坦面７３Ｄ，７３Ｄと、それら平坦面７３Ｄ，７３Ｄの間で１８０度以上の範囲に亘って延びた円弧面７３Ｅとを備えている。また、円弧面７３Ｅには、溝７３Ｆが形成されている。側部突片６５Ａの後面には中継ストッパ６５Ｓ（本発明に係る「第２ストッパ」に相当する）が突出形成されている。この中継ストッパ６５Ｓは、側部突片６５Ａのうち連結筒部７３Ｂが挿通される貫通孔６５Ｂに対してベース部材６５の本体側斜め下方（後述する弾発エレメント６２側の斜め下方）に配置されている。そして、一方の平坦面７３Ｄが中継ストッパ６５Ｓに当接して中継回転部材７３が原点位置に位置決めされる。そして、中継回転部材７３が原点位置に位置決めされたときには、中継回転盤７３Ａの円弧面７３Ｅにおける１対の平坦面７３Ｄ，７３Ｄ間の中央部分がベース部材６５の本体側斜め上方を向く。
【００５３】
側部突片６５Ａの後面には、後方保持部材７９（本発明の「係止部材装着部」に相当する）が中継回転盤７３Ａを跨ぐようにして固定されている。後方保持部材７９は、円板部７９Ａ（本発明に係る「対向壁」に相当する）から１対の脚部７９Ｂ，７９Ｂを突出した構造になっている。１対の脚部７９Ｂ，７９Ｂは、円板部７９Ａのうち１８０度離れた２位置から側方に張り出しかつ途中で直角曲げされて互いに対向している。また、これら脚部７９Ｂ，７９Ｂの先端部が互いに相反する方向に直角曲げされてベース当接部７９Ｃ，７９Ｃになっている。さらに、各ベース当接部７９Ｃ，７９Ｃには螺子挿通孔７９Ｄ，７９Ｄが貫通成形されている。そして、両脚部７９Ｂ，７９Ｂが水平方向に対して斜め４５度の方向に並べられ、各ベース当接部７９Ｃ，７９Ｃの螺子挿通孔７９Ｄ，７９Ｄに通した螺子にてベース部材６５に中継回転部材７３が螺子止めされている。また、この状態で、中継回転盤７３Ａは、両脚部７９Ｂ，７９Ｂの間からベース部材６５の本体側斜め上方に臨んでいる。
【００５４】
円板部７９Ａの中心には、支持孔７９Ｅが貫通形成されている。そして、中継回転盤７３Ａの中心から突出したエンボス７３Ｃが支持孔７９Ｅに嵌合されている。
【００５５】
側部突片６５Ａには、貫通孔６５Ｂに対してベース部材６５の本体側斜め上方位置にはピン挿通孔６５Ｉが貫通形成されている。また、後方保持部材７９における円板部７９Ａのうちピン挿通孔６５Ｉと対向する位置にはピン挿通孔７９Ｆが形成されている。中継回転盤７３Ａが上記した原点位置に配置された状態では、中継回転盤７３Ａが両ピン挿通孔６５Ｉ，７９Ｆの間を遮断し、中継回転部材７３を原点位置から約９０度程回動すると、中継回転盤７３Ａがピン挿通孔６５Ｉ，７９Ｆの間から退避し、両ピン挿通孔６５Ｉ，７９Ｆ同士が対面する。そして、この状態で両ピン挿通孔６５Ｉ，７９Ｆに検査用ピン（本発明の「検査用係止部材」に相当する）を挿通してその検査用ピンに中継回転盤７３Ａを当接することで、中継回転部材７３を原点位置から離れた検査位置に位置決めすることができる。この検査用ピンは、発射装置７０と分離した別部品として形成されており、発射装置７０の検査の際を除いて発射装置７０と別の場所に保管されている。
【００５６】
ベース部材６５の後面側のうち中継回転盤７３Ａの側方には、弾発エレメント６２が取り付けられている。弾発エレメント６２は、図９に示すように、円筒スリーブ６２Ｔの両端部に回動キャップ６４（本発明に係る「第１回動部材」に相当する）と回動リング６３（本発明に係る「第２回動部材」に相当する）とを回動可能に軸支すると共に、円筒スリーブ６２Ｔの中間部分に挿通した捻りコイルバネ６６（本発明に係る「槌回動用バネ」に相当する）で回動キャップ６４と回動リング６３とを連結した構造になっている。具体的には、図８に示すように、ベース部材６５の後面に座ぐって形成された円形凹部６５Ｆに円筒スリーブ６２Ｔの一端部が嵌合固定されている。そして、円筒スリーブ６２Ｔに対して、回動リング６３、捻りコイルバネ６６、回動キャップ６４の順番に挿通されている。また回動リング６３には、周方向に沿って複数のバネ係止溝６３Ｃが設けられ、捻りコイルバネ６６の一端部が所定のバネ係止溝６３Ｃに係止している。また、回動キャップ６４には、バネ係止孔６４Ｃが形成され、ここに捻りコイルバネ６６の他端部が挿通した状態に係止している。
【００５７】
図７に示すように回動リング６３は前記した中継回転盤７３Ａにワイヤ６２Ｗで連結されている。そのワイヤ６２Ｗは、その両端部が回動リング６３の円弧面６３Ｅと中継回転盤７３Ａの円弧面７３Ｅとにそれぞれ沿わされ、中間部が回動リング６３と中継回転盤７３Ａとの間に張られている。より詳細には、中継回転盤７３Ａのうち中継ストッパ６５Ｓに当接しない側の平坦面７３Ｄには、ワイヤ係止部７３Ｇ（図７参照）が備えられ、ここにワイヤ６２Ｗの一端部を係止し、円弧面７３Ｅの溝７３Ｆ内にワイヤ６２Ｗの一部が収まっている。一方、回動リング６３の外周面にはワイヤ係止部６３Ａ（図８参照）が備えられると共に、回動リング６３の外周面のうちワイヤ係止部６３Ａより中継回転部材７３側位置には、１対のワイヤ支持部６３Ｂ，６３Ｂが回動リング６３の幅方向及び周方向の両方向でずらして設けられている。そして、ワイヤ係止部６３Ａにワイヤ６２Ｗの他端部を係止し、両ワイヤ支持部６３Ｂ，６３Ｂの間にワイヤ６２Ｗの一部が収まっている。これらにより、発射操作部５０（図４参照）の操作に連動して回動キャップ６４が回動し、捻りコイルバネ６６の捻れ量が変更される。
【００５８】
回動キャップ６４には、側方に張り出したトルクアーム６４Ａが備えられ、そのトルクアーム６４Ａの先端からベース部材６５に向かって摺接ボス６４Ｂが突出している。回動キャップ６４の中心部には、槌支軸６９が一体回転可能に固定され、その槌支軸６９がベース部材６５を貫通し、ベース部材６５の前面側に突出している。また、ベース部材６５には、前記円筒スリーブ６２Ｔを嵌合固定した円形凹部（図示せず）の内側に、ベアリング嵌合孔（図示せず）が貫通形成され、そこに嵌合したベアリング（図示せず）により槌支軸６９が回転可能に支持されている。そして、ベース部材６５の前面側から槌支軸６９に、打撃槌６７が取り付けられている。
【００５９】
図９に示すように打撃槌６７は、ベース部材６５の前面と平行になって斜め上下方向に延びた本体部６７Ｈを有し、その本体部６７Ｈの下端寄り位置には、取付孔（図示せず）が形成されている。そして、槌支軸６９のうちベース部材６５の前面側に突出した部分（図５参照）を、ワッシャ（図示せず）、打撃槌６７の取付孔、スプリングワッシャ（図示せず）に順番に挿通して、槌支軸６９の先端に形成された螺子部にナットＮ１（図５参照）が締め付けられている。これにより、打撃槌６７が槌支軸６９に固定されている。
【００６０】
図５に示すように本体部６７Ｈの上端部には、回動方向に槌先端部６７Ｓが突出している。詳細には、本体部６７Ｈの上端部は、湾曲して先端面が筒形支柱７２と反対側を向いている。そして、その先端面に、図示しないピン孔が形成され、そこに打撃ピン６７Ｐが圧入されると共に、その打撃ピン６７Ｐの外側に打撃スプリング６７Ｃが嵌合固定されている。そして、これら打撃ピン６７Ｐと打撃スプリング６７Ｃとから本発明に係る槌先端部６７Ｓが構成されている。
【００６１】
なお、打撃スプリング６７Ｃは、コイル形状をなし、そのコイル径が先端側に向かって徐々に小さくなっている。また、その打撃スプリング６７Ｃの先端面が、巻回軸方向と直交した平坦面になるように加工されている。
【００６２】
ベース部材６５の前面のうち打撃槌６７を挟んで筒形支柱７２と反対側には、槌ストッパ７４（本発明に係る「第１ストッパ」に相当する）が取り付けられている。槌ストッパ７４は、樹脂ボディ７４Ａに円形ゴム７４Ｂを固定してなり、その円形ゴムが打撃槌６７における長手方向の中間部に当接して打撃槌６７を打撃位置に停止させる。
【００６３】
ここで、発射装置７０の停止時（即ち、遊技球の未発射時）には、捻りコイルバネ６６は弾性変形した状態に保持されている。そして、この捻りコイルバネ６６の弾発力により、発射装置７０の停止時には、回動キャップ６４と共に捻りコイルバネ６６の一端部が槌ストッパ７４によって位置決めされる一方、回動リング６３と共に捻りコイルバネ６６の他端部が中継ストッパ６５Ｓによって位置決めされ、未発射時における打撃槌６７及び捻りコイルバネ６６のガタが防がれる。
【００６４】
ベース部材６５の前面のうち打撃槌６７との間で槌ストッパ７４を挟む位置には、打撃用モータ７５が取り付けられている。また、打撃用モータ７５から延びた動力ケーブルの先端には図示しないコネクタが取り付けられている。そして、このコネクタが機構板アッシ８４Ａの下端部に備えた発射制御装置（図示せず）のコネクタに接続されている。また、発射操作部５０には始動スイッチが内蔵され、この始動スイッチに接続されたケーブルの先端にもコネクタが備えられ、そのコネクタも発射制御装置のコネクタに接続されている。そして、発射操作部５０を回動すると始動スイッチがオンして打撃用モータ７５が駆動される。打撃槌６７は、この打撃用モータ７５の駆動力を後述するカム機構を介して受けて槌ストッパ７４に接離するように往復回動し、打撃槌６７が槌ストッパ７４側に移動したときに遊技球を弾く。
【００６５】
図１０に示すようにベース部材６５の前面のうち槌ストッパ７４及び打撃用モータ７５の上方には、レール取付溝６５Ｄが形成されている。レール取付溝６５Ｄは、ベース部材６５のうち側部突片６５Ａと反対側の側縁の上端部で側方に開放しており、その開放口から槌ストッパ７４の上側部分に向かって一定の幅で斜め下方に延びている。また、レール取付溝６５Ｄの下端部からは、レール取付溝６５Ｄと直交する斜め上方に分岐溝６５Ｅが連続して延びている。分岐溝６５Ｅは、レール取付溝６５Ｄと同じ深さでレール取付溝６５Ｄより幅狭になっている。
【００６６】
レール取付溝６５Ｄには、発射レール４０が取り付けられている。発射レール４０は、板金（例えば、ステンレス製）を断面略Ｍ字形に屈曲してなり、互いに対向した１対の板金側壁部４０Ａ，４０Ｂと、それら板金側壁部４０Ａ，４０Ｂの上縁部間でＶ字状になった誘導壁４０Ｃとを備えている。また、発射レール４０は、レール取付溝６５Ｄの長手方向全体に亘って延びている。図１１には、ベース部材６５及び発射レール４０の断面図が示されている。同図に示すように、発射レール４０の幅は、遊技球１つ分より僅かに大きくなっている。そして、一方の板金側壁部４０Ａが、ベース部材６５におけるレール取付溝６５Ｄの奥面に宛がわれると共に、レール取付溝６５Ｄの下縁部側に偏在した状態に配置され、誘導壁４０Ｃの上面とレール取付溝６５Ｄの上縁部との間に遊技球１つ分の間隔が開けられている。
【００６７】
一方の板金側壁部４０Ａには、長手方向の両端寄り位置に、図１１に示した位置決貫通孔４０Ｈが貫通成形されている。これらに対応して、他方の板金側壁部４０Ｂには、両位置決貫通孔４０Ｈとの対向位置に、位置決貫通孔４０Ｈより小径の螺子挿通孔４０Ｊが貫通成形されている。これに対応して、レール取付溝６５Ｄの奥面における長手方向の両端部からは、取付支柱６５Ｔがそれぞれ突出している。取付支柱６５Ｔは、ベース部材６５に一体成形され、先端に向かうに従ってテーパー状に縮径している。また、取付支柱６５Ｔの軸心部は空洞になっており、取付支柱６５Ｔの先端部内周面に雌螺子部６５Ｕが形成されている。そして、各取付支柱６５Ｔが、一方の板金側壁部４０Ａにおける各位置決貫通孔４０Ｈを挿通されると共に、取付支柱６５Ｔの先端面が、他方の板金側壁部４０Ｂの内側から螺子挿通孔４０Ｊの開口縁に対向している。この状態で、取付支柱６５Ｔの雌螺子部６５Ｕに、他方の板金側壁部４０Ｂの外側から螺子４０Ｎが螺合されている。これにより、他方の板金側壁部４０Ｂが、螺子４０Ｎのヘッド部と取付支柱６５Ｔの先端面とに挟まれて固定され、一方の板金側壁部４０Ａが取付支柱６５Ｔの基端部によって位置決めされかつ支持されている。また、本実施形態では、ベース部材６５におけるレール取付溝６５Ｄの奥面に発射レール４０の一側面を宛がって固定したので、ベース部材６５からの発射レール４０の突出量を抑えることができる。
【００６８】
図１２に示すように分岐溝６５Ｅには、球停止部材４１が取り付けられている。球停止部材４１は、図７に示すように断面台形の角筒構造をなし、球停止部材４１の一端に備えた底壁（図示せず）の底壁中心部を貫通した螺子４１Ｎによりベース部材６５に固定されている。また、底壁からは、螺子４１Ｎを挟んだ両側に１対の突起４１Ｐ，４１Ｐが突出しており、これら突起４１Ｐ，４１Ｐがベース部材６５に貫通成形した位置決め孔に嵌合されている。
【００６９】
図１０に示すように球停止部材４１は、互いに平行になった１対の側壁面４１Ａ，４１Ａが、発射レール４０の長手方向で対向するように配置され、一方の側壁面４１Ａが発射レール４０の下端面に対して略面一になっている。また、両側壁面４１Ａ，４１Ａの間で傾斜したテーパー面４１Ｂが、発射レール４０の下端部に上方から臨んでおり、テーパー面４１Ｂと発射レール４０の上面との間隔が、斜め下方に向かうに従って徐々に狭くなっている。そして、発射レール４０上に遊技球（図７及び図１０の符号Ｙ）が供給されると、その遊技球が自重により発射レール４０の下端側に転動して球停止部材４１のテーパー面４１Ｂに当接し発射レール４０上の打撃待機位置に停止する。このとき、遊技球は、図１２に示すように発射レール４０の誘導壁４０ＣにおけるＶ字形底面によって誘導壁４０Ｃの幅方向の中心に配置されると共に、発射レール４０の下端側に向かうに従って徐々に接近する球停止部材４１のテーパー面４１Ｂ（図７参照）により、遊技球の上下方向の跳ね上がりが抑えられる。これにより、遊技球が安定して発射レール４０の打撃待機位置に停止する。また、前記した打撃槌６７が槌ストッパ７４に当接して打撃位置に移動すると、打撃槌６７の槌先端部６７Ｓが球停止部材４１と発射レール４０との間隙部に突入して、打撃待機位置の遊技球を弾く。これにより、遊技球が発射レール４０に沿って斜め上方に向けて発射される。
【００７０】
なお、前記した誘導レール１２の端部は、発射レール４０の延長線から若干下方にオフセットした位置に配置されており、発射装置７０から発射された遊技球が誘導レール１２により遊技領域Ｒ１へと案内される。
【００７１】
図９に示すようにベース部材６５の前面側には、発射レール４０、球停止部材４１に重ねて球供給装置４２が取り付けられている。球供給装置４２は、透明な樹脂製のケース体４２Ｃの内部に、図１３に示した従動部材４６と開閉部材４５とを収容している。ケース体４２Ｃは、ケース本体４４にケース蓋４３を組み付けてなる。ケース本体４４は、ベース部材６５と平行なベース対向壁４４Ａを有し、そのベース対向壁４４Ａの外縁部から前側（ベース部材６５から離れる側）に包囲壁４４Ｂを起立してその内側に収容空間を備えている。
【００７２】
ケース蓋４３は、包囲壁４４Ｂの前面開口全体を覆う略平板状をなしている。また、ケース蓋４３の一側縁部とケース本体４４の一側縁部との間にはヒンジ機構４３Ｈ（図５参照）が備えられ、その一側縁部を中心にケース蓋４３が開閉可能になっている。さらに、ケース蓋４３とケース本体４４との間には、ヒンジ機構４３Ｈと反対側の縁部に係止機構４３Ｋ（図５参照）が備えられ、この係止機構４３Ｋによってケース蓋４３が閉止状態に保持されている。
【００７３】
ケース本体４４におけるベース対向壁４４Ａの後面側には、上縁部と両側縁部の一部とから後方に向けて嵩上げ壁４４Ｃが起立している。また、ベース対向壁４４Ａにおける一方の側縁部の嵩上げ壁４４Ｃの先端からロック片４４Ｄ（図７参照）が延設されている。さらに、ベース対向壁４４Ａの他方の側縁部側の上側角部には、包囲壁４４Ｂより外側に取付壁４４Ｅ（図１３参照）が張り出され、その取付壁４４Ｅをナイラッチ４４Ｆが前後方向に貫通している。
【００７４】
これに対し、ベース部材６５には、図１０に示すように、側部突片６５Ａが張り出された側の上端角部に、ラッチ孔６５Ｈが形成されると共に、反対側の上端角部寄り位置に、縦長の係止スリット６５Ｇが形成されている。そして、ケース本体４４のロック片４４Ｄを係止スリット６５Ｇに係止し、そのロック片４４Ｄを中心にしてケース本体４４を回動させてナイラッチ４４Ｆをラッチ孔６５Ｈに係止することで、嵩上げ壁４４Ｃの先端面がベース部材６５の前面に突き当てられた状態でケース本体４４がベース部材６５に固定されている。これにより、ベース対向壁４４Ａがベース部材６５から浮いた状態に保持されている。また、ベース対向壁４４Ａは、発射レール４０及び球停止部材４１からも浮いている。
【００７５】
図１４に示すようにベース対向壁４４Ａには、遊技球が１つ通過可能な球出口４４Ｇが貫通形成されている。また、ケース本体４４には、球出口４４Ｇの上側部分から発射レール４０と平行な斜め上方に向けて球供給路４４Ｈが延びている。さらに、ケース蓋４３には、球供給路４４Ｈの上端部に対応した位置に、遊技球が１つ通過可能な球入口４３Ａが貫通形成されている。そして、上皿２６からガラス枠９５の後面側に延びた図示しない球排出路が、球入口４３Ａを介してケース本体４４に連絡され、上皿２６からの遊技球が球供給路４４Ｈに供給される。
【００７６】
ケース本体４４には、球供給路４４Ｈの中間部分の下面から分岐した球排出路４４Ｋが設けられている。そして、開閉部材４５がケース本体４４のうち球供給路４４Ｈの下方に回動可能に軸支され、図１４及び図１５に示すように、その開閉部材４５の回動位置に応じて球供給路４４Ｈから球排出路４４Ｋへの分岐口４４Ｚが開閉される。また、開閉部材４５は、コイルバネ４５Ａによって分岐口４４Ｚを常には閉塞するように付勢されている。さらに、図１２に示すように開閉部材４５には、ケース蓋４３に向けて突出した操作突起４５Ｂが備えられ、この操作突起４５Ｂがケース蓋４３に形成された長孔４３Ｂを通して球供給装置４２から前方に突出している。そして、上記した球抜きボタン２３が操作突起４５Ｂに連結されている。これにより、球抜きボタン２３を操作すると、上皿２６に貯留された遊技球が下皿２８に排出される。
【００７７】
ベース対向壁４４Ａのうち球出口４４Ｇの上方には、カム連結孔４４Ｌが貫通成形されている。このカム連結孔４４Ｌに対応して、ベース部材６５には、図１０に示すようにカム連結窓６５Ｃが貫通成形されている。また、図１４に示すように、ベース対向壁４４Ａのうち球出口４４Ｇ及びカム連結孔４４Ｌを挟んで球供給路４４Ｈと反対側の側部寄り位置からは、回動支軸４４Ｍが起立しており、ここに従動部材４６が回動可能に軸支されている。従動部材４６は、回動中心から球供給路４４Ｈ側に向かって広がった略扇形状をなした回動盤４６Ａと、その回動盤４６Ａの上面先端部から立ち上がって後方に延びた摺接突起４６Ｂとからなる。この摺接突起４６Ｂは、両カム連結孔４４Ｌ，６５Ｃを通過してベース部材６５の後面側まで延びている（図９参照）。
【００７８】
回動盤４６Ａのうち回動中心から離れた側の端面は、丸みを帯びてその一部が球供給路４４Ｈの下端開口４４Ｘに対向している。その回動盤４６Ａの端面における上下方向の中間位置には球受容部４６Ｃが陥没形成されている。球受容部４６Ｃは、回動盤４６Ａの板厚方向にも開放しており、その内面はベース対向壁４４Ａ側に向かって下っている。そして、回動盤４６Ａが往復ストロークの上端側に配置されたときに（図１４参照）、球受容部４６Ｃが球供給路４４Ｈの下端開口４４Ｘに対向して球供給路４４Ｈから遊技球を１つ受け取り、図１６に示すように回動盤４６Ａが往復ストロークの下端側に配置されたときに、球受容部４６Ｃの側面が球出口４４Ｇに対向し、その球出口４４Ｇを通して球受容部４６Ｃから発射レール４０の上に１つの遊技球が供給される。
【００７９】
なお、従動部材４６全体は、合成樹脂で構成され、球受容部４６Ｃの下方には、金属製のウエイト４６Ｄが組み込まれている。
【００８０】
図７に示すように、ベース部材６５の後面には、球供給装置４２と打撃槌６７とを同期させて駆動するためのカム機構（本発明に係る「槌駆動機構」及び「機構部材」に相当する）が設けられている。具体的には、ベース部材６５の後面には、前記した打撃用モータ７５の回転軸が突出し、その回転軸にピニオンギヤ７６Ａが固定されている。そのピニオンギヤ７６Ａの斜め上方には、アイドルギヤ７６Ｂが回転可能に軸支され、ピニオンギヤ７６Ａに噛合している。また、ベース部材６５の後面のうちアイドルギヤ７６Ｂと、その斜め下方に位置した弾発エレメント６２との間には、打撃カムギヤ７６Ｃが回転可能に軸支され、アイドルギヤ７６Ｂに噛合している。さらに、アイドルギヤ７６Ｂを上下方向で間に挟んで打撃カムギヤ７６Ｃとほぼ対称な位置には、球供給カムギヤ７６Ｄが回転可能に軸支され、アイドルギヤ７６Ｂに噛合している。このようにベース部材６５の後面に取り付けられたアイドルギア７６Ｂ等からなるカム機構により、ベース部材６５の前面に取り付けられた球供給装置４２等を駆動させるようにしたので、カム機構と球供給装置４２等とをベース部材６５の一方の面に配置した場合よりもベース部材６５の表面を効率よく使用することができる。
【００８１】
アイドルギヤ７６Ｂは、全体として円板状になった平ギヤである。打撃カムギヤ７６Ｃは、円板形の平ギヤ部７６Ｃ１の一端面に打撃用カム７７を一体成形して備えている。球供給カムギヤ７６Ｄは、円板形の平ギヤ部７６Ｄ１の一端面に球供給用カム７８を一体成形して備えている。また、アイドルギヤ７６Ｂ、打撃カムギヤ７６Ｃ及び球供給カムギヤ７６Ｄは、共に合成樹脂の成形品であり、打撃カムギヤ７６Ｃと球供給カムギヤ７６Ｄとは、異なる色（例えば、水色と黒）の合成樹脂で成形され、これにより容易に両者を識別可能になっている。
【００８２】
打撃用カム７７は、回転軸方向から見ると全体が略半円形になっており、その略半円形の直線部分の一端部が平ギヤ部７６Ｃ１の中心部に配置され、他端部が平ギヤ部７６Ｃ１から外側に張り出している。詳細には、打撃用カム７７のうち前記略半円形の直線部分を構成する直線壁７７Ａは、平ギヤ部７６Ｃ１の回転中心を通過する線上に配置されている。また、平ギヤ部７６Ｃ１の中心部には円筒壁７７Ｃが起立しており、その円筒壁７７Ｃから直線壁７７Ａが立ち上がっている。さらに、略半円形の円弧部分を構成する円弧壁７７Ｂは、円筒壁７７Ｃのうち直線壁７７Ａの立ち上がり部分の反対側から緩やかに立ち上がって丸みを帯び、インボリュート曲線のように、徐々に曲率が大きくなって先端が円弧壁７７Ｂに繋がっている。
【００８３】
そして、この円弧壁７７Ｂの外周面に、弾発エレメント６２の摺接ボス６４Ｂが摺接することで、打撃用カム７７が槌ストッパ７４から離れるように回動する。このとき、弾発エレメント６２の回動キャップ６４と回動リング６３との間で捻りコイルバネ６６が捻れ変形し、弾発力が蓄えられる。そして、摺接ボス６４Ｂが打撃用カム７７の先端を通過すると、捻りコイルバネ６６の弾発力が解放されて摺接ボス６４Ｂが打撃用カム７７の直線壁７７Ａに沿って移動し、打撃槌６７が回動キャップ６４と共に急峻に回動して槌ストッパ７４に当接する打撃位置に至る。これにより、遊技球が発射される。
【００８４】
球供給用カム７８は、打撃用カム７７と同様の構造をなし、略半円形の直線部分を構成する直線壁７８Ａと円弧部分を構成する円弧壁７８Ｂとを備えている。また、円筒壁７８Ｃのうち直線壁７７Ａの立ち上がり部分の反対側からは平ギヤ部７６Ｄ１の外縁部まで接線壁７８Ｄが円筒壁７８Ｃの接線方向に延びており、その球供給カムギヤ７６Ｄの先端から円弧壁７８Ｂが直線壁７８Ａの先端まで円弧状に延びている。
【００８５】
そして、この円弧壁７８Ｂの外周面に、球供給装置４２の摺接突起４６Ｂが摺接することで、従動部材４６が上方に回動する。そして、摺接突起４６Ｂが球供給用カム７８のうち平ギヤ部７６Ｄ１から張り出した先端部を通過すると、従動部材４６の自重により摺接突起４６Ｂが球供給用カム７８の直線壁７８Ａに沿って下方に移動する。これにより、打撃槌６７の動作に同期して従動部材４６が上下に往復動し、球供給装置４２から発射レール４０上に遊技球が１球ずつ供給される。ここで、打撃槌６７が打撃位置から離れたタイミングで球供給装置４２から遊技球が供給されるように、打撃用カム７７と球供給用カム７８とがギヤ連結されている。そのために、アイドルギヤ７６Ｂの周縁部には、三角形突起ＭＫ１と丸形突起ＭＫ２とが間隔を開けて形成され、これらに対応させて打撃カムギヤ７６Ｃにおける平ギヤ部７６Ｃ１の周縁部には、三角形突起ＭＫ１が形成され、さらに、球供給カムギヤ７６Ｄにおける平ギヤ部７６Ｄ１の周縁部には、丸形突起ＭＫ２が形成されている。そして、三角形突起ＭＫ１，ＭＫ１同士を向かい合わせると共に、丸形突起ＭＫ２，ＭＫ２同士を向かい合わせてこれらギヤ７６Ｂ，７６Ｃ，７６Ｄを噛合させれば、上記のタイミングが図れられるようになっている。
【００８６】
上記した構成により、発射操作部５０を回動操作すると、打撃用モータ７５により上記したカム機構が作動し、球供給装置４２から発射レール４０上に１つずつ遊技球が供給される度に、その球供給装置４２に同期して捻りコイルバネ６６の弾性変形量を増加させてから解放する打撃動作を行う。すると、その増加された捻りコイルバネ６６の弾性変形量分の弾発力によって打撃槌６７が遊技球を弾く。ここで、カム機構が打撃槌６７を回動させる角度は一定角度であるので、カム機構を原因として発射装置７０の発射力がばらつくことが防がれる。そして、その遊技球が、発射レール４０及び誘導レール１２によって遊技領域Ｒ１へと案内される。なお、発射レール４０と誘導レール１２とは離して配置されており、発射レール４０から誘導レール１２に向かった遊技球は、誘導レール１２に接触して上方に案内される一方、発射力が弱いために誘導レール１２を逆戻りした遊技球は、発射レール４０と誘導レール１２との離間部分に落下して戻り球回収路１０Ｈ（図１７参照）を通り、上皿２６に払い出される。
【００８７】
本実施形態に係るパチンコ遊技機１０の構成の説明は以上の通りである。パチンコ遊技機１０を製造する際には、発射装置７０は、ベース部材６５に上記した複数の部品を組み付けたユニットとして量産される。そして、発射装置７０は、図１７に示した検査装置１００に組み付けて検査を行ってからパチンコ遊技機１０に組み付けられる。その検査装置１００は、製品であるパチンコ遊技機１０からガラス枠９５、第１及び第２の前面カバー２９，７１を排除し、さらに、遊技領域Ｒ１にはアウト口１６のみを設けて役物及び障害釘を排除した構成になっている。また、検査装置１００の前面は、発射装置７０が装着される部位の前方と、戻り球回収路１０Ｈの前方とを除き、略全体が図示しない透明なアクリル板で覆われている。さらに、検査装置１００には、製品であるパチンコ遊技機１０と同様の発射制御装置（図示せず）が備えられ、その発射制御装置には前記した発射操作部５０に内蔵の始動スイッチに代わる操作スイッチ１０１が接続されている。
【００８８】
発射装置７０の検査を行うには、以下のようである。発射装置７０の球供給装置４２（図１７では図示せず。図５参照）に複数の遊技球を充填する。次いで、中継回転部材７３を前記した原点位置から約９０度程回動して、中継回転盤７３Ａをピン挿通孔６５Ｉ，７９Ｆの間から退避させる。このとき、筒形支柱７２の先端側から図示しない工具を挿入して中継回転部材７３を回動すればよい。そして、両ピン挿通孔６５Ｉ，７９Ｆに図示しない検査用ピンを挿通して、工具を筒形支柱７２から抜く。すると、捻りコイルバネ６６による反力により中継回転盤７３Ａが検査用ピンに押し付けられて、中継回転部材７３が検査位置に位置決めされかつ保持される。この検査位置は、発射操作部５０の回動操作により捻りコイルバネ６６の弾発力が最も弱くなる最小位置と、捻りコイルバネ６６の弾発力が最も強くなる最大位置との中間位置に位置する。
【００８９】
次いで、発射装置７０の打撃用モータ７５における動力ケーブルのコネクタを発射制御装置のコネクタに接続し、１又は２本のボルトで発射装置７０を検査装置１００に固定する。そして、操作スイッチ１０１を操作して発射装置７０にて複数の遊技球を発射する。このとき、発射装置７０から発射された遊技球が、発射レール４０及び誘導レール１２に案内されて遊技領域Ｒ１内に打ち出され、遊技領域Ｒ１の球受部１０Ｊに当接するか否かを目視確認する。ここで、遊技球が球受部１０Ｊに当接しなかった発射装置７０は、第１検査に関して不合格品である判断される一方、遊技球が球受部１０Ｊに当接した発射装置７０は、第１検査に関して発射装置７０は合格品である判断される。
【００９０】
次いで、操作スイッチ１０１を操作して遊技球の発射を停止し、検査装置１００の後面側から検査用ピンを取り外す。すると、捻りコイルバネ６６の反力により中継回転部材７３が回動して原点位置に位置決めされる。この状態で、操作スイッチ１０１を操作して発射装置７０にて複数の遊技球を発射する。このとき、発射装置７０から発射された遊技球が、誘導レール１２の上端部まで到達せずに途中で降下して戻り球回収路１０Ｈに回収されるか否かを目視確認する。ここで、遊技球が誘導レール１２の上端部まで到達して遊技領域Ｒ１に打ち出された発射装置７０は、第２検査に関して不合格品である判断される一方、遊技球が誘導レール１２の途中で降下し、戻り球回収路１０Ｈに回収された発射装置７０は、第２検査に関して合格品である判断される。なお、戻り球回収路１０Ｈに回収された遊技球は、アクリル板の外に排出されて図示しない回収箱に集められる。
【００９１】
次いで、発射装置７０を検査装置１００から取り外し、上記した第１検査と第２検査の何れかで不合格品と判断された発射装置７０は、調節工程で調節され、再度、検査工程に回される。一方、第１検査と第２検査の両方で合格品と判断された発射装置７０が製品であるパチンコ遊技機１０に組み付けられる。そして、パチンコ遊技機１０では、発射操作部５０の操作により遊技球が遊技領域Ｒ１内に打ち出され、遊技領域Ｒ１を流下する遊技球の各種入賞口１４Ａ，１４Ｂ，１５，２０，２１，始動ゲート１８等への入球に応じて遊技が進行されていく。また、発射操作部５０の回動量を変更することで、遊技球の発射力が変更され、遊技領域Ｒ１における遊技球の流下経路が変わる。
【００９２】
このように、本実施形態によれば、発射装置７０に備えた後方保持部材７９に検査用ピンを装着することで、その検査用ピンにより中継回転部材７３を検査位置に保持することができる。これにより、発射装置７０の検査を行うために従来は必要とされた発射操作部５０及び第２前面カバー７１の組み付けが不要になり、発射装置７０の検査を容易に行うことが可能になる。
【００９３】
［第２実施形態］
本発明の第２実施形態は、発射装置７０の検査を実機、即ち、実際のパチンコ遊技機１０で実施する点が上記第１実施形態と異なる。その他の構成については、上記第１実施形態と同じであるため、同じ構成については、同一符号を付し、重複する説明は省略する。
【００９４】
発射装置７０の検査を行うには、以下のようである。即ち、発射装置７０の中継回転部材７３を、検査用ピンにより検査位置に位置決めし、その発射装置７０を、発射装置７０、第２前面カバー７１及び発射操作部５０以外の全ての部品の取り付けが完了したパチンコ遊技機１０に取り付ける。そして、発射装置７０の打撃用モータ７５における動力ケーブルのコネクタと、発射操作部５０に内蔵の始動スイッチに代わる操作スイッチ１０１とを発射制御装置のコネクタに接続してから、上皿２６に複数の遊技球を投入し、操作スイッチ１０１を操作すると、発射装置７０から遊技球が発射され、第１実施形態と同様に、第１検査及び第２検査を行うことができる。なお、発射装置７０に取り付けられた検査用ピンは、発射装置７０をパチンコ遊技機１０に取り付けた状態のままで、パチンコ遊技機１０の後面側から取り外すことができる。
【００９５】
第１検査と第２検査との少なく何れか一方で不合格品と判断された場合には、発射装置７０のみをパチンコ遊技機１０から取り外し、調節工程で調節して、再度、検査される。一方、第１検査及び第２検査に関して共に合格品と判断された場合は、操作スイッチ１０１を取り外してから第２前面カバー７１及び発射操作部５０が取り付けられて、パチンコ遊技機１０が完成する。
【００９６】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００９７】
（１）前記各実施形態では、パチンコ遊技機１０に本発明を適用していたが、弾球遊技機であれば、アレンジボール等に備えてもよい。
【００９８】
（２）前記各実施形態では、ベース部材６５及び後方保持部材７９に貫通形成したピン挿通孔６５Ｉ，７９Ｆに検査用ピンを挿通させて中継回転盤７３Ａの回動を制限していたが、後方保持部材７９にスリットを設けると共にベース部材６５又は後方保持部材７９に移動可能なフックを設け、そのフックの先端をスリットに挿入して中継回転盤７３Ａの回動を制限してもよい。
【図面の簡単な説明】
【００９９】
【図１】本発明の第１実施形態に係るパチンコ遊技機の正面図
【図２】パチンコ遊技機の分解斜視図
【図３】パチンコ遊技機の背面図
【図４】前面枠の正面図
【図５】発射装置の正面図
【図６】前面枠に取り付けた状態の発射装置の正面図
【図７】発射装置の後面図
【図８】発射装置の後面側に分解斜視図
【図９】発射装置の側面図
【図１０】球供給装置を取り外した状態の発射装置の斜視図
【図１１】発射装置の部分断面図
【図１２】発射装置の斜視図
【図１３】球供給装置の分解斜視図
【図１４】ケース蓋を取り外した発射装置の部分拡大図
【図１５】ケース蓋を取り外した発射装置の部分拡大図
【図１６】ケース蓋を取り外した発射装置の部分拡大図
【図１７】検査装置の正面図
【符号の説明】
【０１００】
１０    パチンコ遊技機（弾球遊技機）
１０Ｊ    球受部
１２    誘導レール（レール部）
２９    第１前面カバー（前面カバー）
４０    発射レール（レール部）
４２    球供給装置（球送りカセット）
５０    発射操作部
５０Ｓ    伝達軸
６２Ｗ    ワイヤ
６３    回動リング（第２回動部材）
６３Ｅ    円弧面
６４    回動キャップ（第１回動部材）
６５    ベース部材
６５Ｉ    ピン挿通孔
６５Ｓ    中継ストッパ（第２ストッパ）
６６    捻りコイルバネ（槌回動用バネ）
６７    打撃槌
７０    発射装置
７１    第２前面カバー（前面カバー）
７３    中継回転部材
７３Ｅ    円弧面
７４    槌ストッパ（第１ストッパ）
７９    後方保持部材（係止部材装着部）
７９Ａ    円板部（対向壁）
Ｒ１    遊技領域
【図１】
2007151621.tif 000003
【図２】
2007151621.tif 000004
【図３】
2007151621.tif 000005
【図４】
2007151621.tif 000006
【図５】
2007151621.tif 000007
【図６】
2007151621.tif 000008
【図７】
2007151621.tif 000009
【図８】
2007151621.tif 000010
【図９】
2007151621.tif 000011
【図１０】
2007151621.tif 000012
【図１１】
2007151621.tif 000013
【図１２】
2007151621.tif 000014
【図１３】
2007151621.tif 000015
【図１４】
2007151621.tif 000016
【図１５】
2007151621.tif 000017
【図１６】
2007151621.tif 000018
【図１７】
2007151621.tif 000019